(57)【要約】【課題】第１ボタン電話機に第２ボタン電話機を接続して両ボタン電話機を使用するに際して、両ボタン電話機間に接続用アダプタを配置する必要をなくすボタン電話機およびボタン電話装置を提供する。【解決手段】伝送信号の送受信を行う伝送部２０６と、伝送信号を制御データおよび音声データに分離又は分離されたこれらの信号を合成するするデマルチプレクサ／マルチプレクサ２０７との間にスイッチ部２１０を設け、このスイッチ部２１０からの信号を、中継回路部２１１を介して外部機器３００に伝送する。【選択図】　　　　　図１
2004048137.tif 000002
【特許請求の範囲】
【請求項１】
回線のインタフェースとなる回線インタフェース部と、音声の送受信を行う送受話器と、該送受話器および前記回線インタフェース部間に接続され前記伝送信号を制御する通信ＬＳＩとを含むボタン電話機において、
前記通信ＬＳＩは、中継回路部を備え、制御データおよび音声データを外部機器に取り込み可能にすることを特徴とするボタン電話機。
【請求項２】
前記通信ＬＳＩの前記中継回路部は、伝送信号の送受信を行う伝送部および前記伝送信号を制御データおよび音声データに分離・合成するデマルチプレクサ／マルチプレクサ間に接続されることを特徴とする請求項１に記載のボタン電話機。
【請求項３】
前記中継回路部に前記外部機器が接続されないとき、前記伝送部および前記デマルチプレクサ／マルチプレクサ間を直接接続するスイッチ部を有することを特徴とする請求項２に記載のボタン電話機。
【請求項４】
回線インタフェースとなる回線インタフェース部、伝送信号を制御する通信ＬＳＩ、音声の送受信を行う送受話器および全体の動作制御を行う中央制御部を含むボタン電話機を備えるボタン電話機と、該ボタン電話機の前記通信ＬＳＩに設けられた中継回路部を介して前記制御データおよび音声データを取り込む外部機器とを備えることを特徴とするボタン電話装置。
【請求項５】
前記中継回路に前記外部機器が接続されているか否かにより、前記通信ＬＳＩの伝送部およびデマルチプレクサ／マルチプレクサ間に前記制御データおよび音声データを直接又は前記外部機器を介して接続するスイッチ部を備えることを特徴とする請求項４に記載のボタン電話装置。
【請求項６】
前記スイッチ部は、前記外部機器が接続されたか否かに応じて自動的に切り替えられることを特徴とする請求項５に記載のボタン電話装置。
【請求項７】
前記外部機器は、前記制御データおよび音声データの分離・合成を行うデマルチプレクサ／マルチプレクサ、制御を行う中央制御部および通信制御を行うゲートアレイを有することを特徴とする請求項４、５又は６に記載のボタン電話装置。
【発明の詳細な説明】
【０００１】
【発明の属する技術分野】
本発明はボタン電話機およびボタン電話装置に関し、特にボタン電話機に接続されその機能を拡張するボタン電話装置に関する。
【０００２】
【従来の技術】
最近の固定電話機の大半は、頻繁に電話をかける通信相手の電話番号をボタン操作により簡単に発信可能にする通信ボタン電話機である。従来、この種のボタン電話機では、例えば特開２０００−１３８２９号公報の「ボタン電話装置」等に開示されている。
【０００３】
斯かる従来のボタン電話装置は、主装置、第１ボタン電話機および第２ボタン電話機を含む電話装置である。そして、第１ボタン電話機と第２ボタン電話機との間に配置された通信制御部およびＣＰＵを含むボタン電話機接続用アダプタを設ける。第１ボタン電話機および第２ボタン電話機は、通信制御部とＣＰＵとを含む同一構成であり、通信制御部はデータフレームフォーマットのチャネル１（Ｂ１）およびチャネル２（Ｂ２）を選択するＢ１／Ｂ２選択部を有している。これにより、第１および第２の２台のボタン電話機を１本の通信路を介して接続するスター型配線のボタン電話装置を実現している。
【０００４】
【発明が解決しようとする課題】
しかし、上述の如き従来技術は、次の如き課題があった。即ち、上述した従来のボタン電話装置では、第１ボタン電話機に第２ボタン電話機を接続して双方のボタン電話機を使用するに際して、第１ボタン電話機と第２ボタン電話機の間に配置されたボタン電話機接続用アダプタを必要とした。また、ボタン電話機接続アダプタからの通信路を介して、第２ボタン電話機を収容するに際して、制御データや音声データを送受信するためには、回線インタフェース部を複数個設ける必要があった。
【０００５】
【発明の目的】
本発明は、従来技術の上述した課題に鑑みなされたものである。そして、ボタン電話機内部の通信ＬＳＩから外部機器が容易に機能拡張を行えるようにするために、電話機の制御データおよび音声データを外部機器との間で直接受け渡すことを可能にし、これまで制御データや音声データを送受信する際に複数個必要であった回線インタフェース部を介すことなく、外部機器が制御データ／音声データを自由に扱うことを可能にするボタン電話機およびボタン電話装置を提供することを目的とする。
【０００６】
【課題を解決するための手段】
前述の課題を解決するため、本発明によるボタン電話機およびボタン電話装置は次のような特徴的な構成を採用している。
【０００７】
（１）回線のインタフェースとなる回線インタフェース部と、音声の送受信を行う送受話器と、該送受話器および前記回線インタフェース部間に接続され前記伝送信号を制御する通信ＬＳＩとを含むボタン電話機において、
前記通信ＬＳＩは、中継回路部を備え、制御データおよび音声データを外部機器に取り込み可能にするボタン電話機。
【０００８】
（２）前記通信ＬＳＩの前記中継回路部は、伝送信号の送受信を行う伝送部および前記伝送信号を制御データおよび音声データに分離・合成するデマルチプレクサ／マルチプレクサ間に接続される上記（１）のボタン電話機。
【０００９】
（３）前記中継回路部に前記外部機器が接続されないとき、前記伝送部および前記デマルチプレクサ／マルチプレクサ間を直接接続するスイッチ部を有する上記（２）のボタン電話機。
【００１０】
（４）回線インタフェースとなる回線インタフェース部、伝送信号を制御する通信ＬＳＩ、音声の送受信を行う送受話器および全体の動作制御を行う中央制御部を含むボタン電話機を備えるボタン電話機と、該ボタン電話機の前記通信ＬＳＩに設けられた中継回路部を介して前記制御データおよび音声データを取り込む外部機器とを備える電話装置。
【００１１】
（５）前記中継回路に前記外部機器が接続されているか否かにより、前記通信ＬＳＩの伝送部およびデマルチプレクサ／マルチプレクサ間に前記制御データおよび音声データを直接又は前記外部機器を介して接続するスイッチ部を備える上記（４）のボタン電話装置。
【００１２】
（６）前記スイッチ部は、前記外部機器が接続されたか否かに応じて自動的に切り替えられる上記（５）のボタン電話装置。
【００１３】
（７）前記外部機器は、前記制御データおよび音声データの分離・合成を行うデマルチプレクサ／マルチプレクサ、制御を行う中央制御部および通信制御を行うゲートアレイを有する上記（４）、（５）又は（６）のボタン電話装置。
【００１４】
【発明の実施の形態】
以下、本発明によるボタン電話機およびボタン電話装置の好適実施形態の構成および動作を、添付図面を参照して詳細に説明する。
【００１５】
図１は、本発明によるボタン電話機およびボタン電話装置の好適実施形態の構成を示すブロック図である。図１に示すボタン電話装置１００は、他のボタン電話装置１０１と回線により接続可能に構成され、ボタン電話機２００およびこのボタン電話機２００に接続される外部機器３００により構成される。
【００１６】
ボタン電話機２００は、中央制御部２０２、回線インタフェース部２０３、送受話器２０４および通信ＬＳＩ（大規模半導体集積回路）２０５により構成される。また、ボタン電話機２００の通信ＬＳＩ２０５は、伝送部２０６、デマルチプレクサ（ＤＭＵＸ）／マルチプレクサ（ＭＵＸ）２０７、符号化／復号化器（ＣＯＤＥＣ）２０８、アナログ処理部２０９、スイッチ部２１０および中継回路部２１１を含んでいる。
【００１７】
一方、ボタン電話機２００に接続される外部機器３００は、中央制御部３０２、ゲートアレイ３０３およびＤＭＵＸ／ＭＵＸ３０４により構成される。この外部機器３００は、後述する如く、ボタン電話機２００の通信ＬＳＩ２０５に接続されている。
【００１８】
次に、ボタン電話機２００および外部機器３００の構成要素の主要機能について説明する。回線インタフェース部２０３は、ボタン電話装置１０１およびボタン電話機２００のインタフェースとなる。中央制御部２０２は、一般的にはＣＰＵ（中央処理装置）により構成され、ボタン電話機２００の各部の動作を制御する。通信ＬＳＩ２０５は、回線インタフェース部２０３からの伝送信号を制御する。送受話器２０４は、音声の送受信を行う。
【００１９】
通信ＬＳＩ２０５において、伝送部２０６は、伝送信号の送受信を行う。ＤＭＵＸ／ＭＵＸ２０７は、伝送信号を制御データおよびＰＣＭ音声データに分離（ＤＭＵＸ）し、また分離された制御データおよびＰＣＭ音声データを合成（ＭＵＸ）して伝送信号に戻す。ＣＯＤＥＣ２０８は、デジタル信号をアナログ信号に変換（Ｄ／Ａ変換）およびアナログ信号をデジタル信号に変換（Ａ／Ｄ変換）する。アナログ処理部２０９は、アナログ信号のゲイン調整等を行う。スイッチ部２１０は、伝送信号の伝送経路を決定する。中継回路部２１１は、外部機器３００との間で伝送信号を中継する。
【００２０】
一方、外部機器３００は、ボタン電話機２００に接続され、このボタン電話機２００の機能を拡張するためのアダプタである。外部機器３００において、中央制御部３０２は、外部機器３００の各部の動作を制御する。ゲートアレイ３０３は、通信制御を行う。ＤＭＵＸ／ＭＵＸ３０４は、伝送信号を制御データおよびＰＣＭ音声データに分離し、また分離された制御データおよびＰＣＭ音声データを合成して伝送信号に戻す。
【００２１】
次に、図１に示す本発明によるボタン電話装置１００の動作を説明する。先ず、ボタン電話機２００の動作を説明する。このボタン電話機２００を構成する通信ＬＳＩ２０５の内部に設けられたスイッチ部２１０は、ボタン電話機２００の機能を拡張するためのアダプタである外部機器３００を選択的に接続可能にする。そして、この外部機器３００が接続されていない場合には、伝送信号の伝送経路を、伝送部２０６およびＤＭＵＸ／ＭＵＸ２０７間で直接接続する。
【００２２】
一方、ボタン電話機２００に外部機器３００を接続すると、スイッチ部２１０は、外部機器３００が接続されていることを検出する。そして、伝送信号の伝送経路を外部機器３００経由に自動的に切り替える。
【００２３】
次に、ボタン電話機２００は、ボタン電話装置１０１から伝送信号を受信すると、ボタン電話機２００内の回線インタフェース部２０３を介して通信ＬＳＩ２０５に取り込む。通信ＬＳＩ２０５に取り込まれた伝送信号は伝送部２０６を介してスイッチ部２１０に送信される。スイッチ部２１０は外部機器３００が接続されているので伝送信号を、中継回路部２１１を介して外部機器３００内のＤＭＵＸ／ＭＵＸ３０４に送信する。また、ＤＭＵＸ／ＭＵＸ３０４は、受信した伝送信号を制御データおよびＰＣＭ音声データに分離させる。そして、分離された制御データは、中央制御部３０２に、ＰＣＭ音声データはゲートアレイ３０３に、それぞれ送信される。
【００２４】
同時に、ＤＭＵＸ／ＭＵＸ３０４は、制御データとＰＣＭ音声データを合成し、分離される前と同じ伝送信号に戻す。元に戻った伝送信号は中継回路部２１１、スイッチ部２１０を介しＤＭＵＸ／ＭＵＸ２０７に送信される。また、ＤＭＵＸ／ＭＵＸ２０７は、送信された伝送信号を制御データおよびＰＣＭ音声データに分離させる。分離された制御データは中央制御部２０２に、ＰＣＭ音声データはＣＯＤＥＣ２０８に送信する。ＣＯＤＥＣ２０８は、ＰＣＭ音声データをアナログの音声信号に変換し、アナログ処理部２０９に送信する。アナログ処理部２０９は、音声信号のゲイン（利得）を調整して送受話器２０４に送信する。また、中央制御部２０２に送信された制御データは、中央制御部２０２にて処理を行う。
【００２５】
次に、送受話器２０４からの音声信号は通信ＬＳＩ２０５内のアナログ処理部２０９に送信される。アナログ処理部２０９は音声信号のゲインを調整しＣＯＤＥＣ２０８に送信する。ＣＯＤＥＣ２０８は送信された音声信号をＰＣＭ音声データに変換し、ＤＭＵＸ／ＭＵＸ２０７に送信する。また中央制御部２０２もＤＭＵＸ／ＭＵＸ２０７に制御データを送信する。ＤＭＵＸ／ＭＵＸ２０７は、ＣＯＤＥＣ２０８からのＰＣＭ音声データおよび中央制御部２０２からの制御データを伝送信号に合成する。
【００２６】
ＤＭＵＸ／ＭＵＸ２０７は、合成した伝送信号をスイッチ部２１０および中継回路部２１１を介して外部機器３００内のＤＭＵＸ／ＭＵＸ３０４に送信する。そこで、ＤＭＵＸ／ＭＵＸ３０４は、伝送信号を制御データおよびＰＣＭ音声データに分離する。また、ＤＭＵＸ／ＭＵＸ３０４は、分離した制御データを中央制御部３０２に、ＰＣＭ音声データをゲートアレイ３０３に送信する。また、制御データおよびＰＣＭ音声データを送信すると同時に、ＤＭＵＸ／ＭＵＸ３０４は、分離した制御データおよびＰＣＭ音声データを元の伝送信号に合成する。合成された伝送信号は、中継回路部２１１およびスイッチ部２１０を介して伝送部２０６に送信する。伝送部２０６は、伝送信号を回線インタフェース部２０３に送信し、回線インタフェース部２０３は、ボタン電話装置１０１に送信する。
【００２７】
以上、本発明によるボタン電話機およびボタン電話装置の好適実施形態の構成および動作を詳述した。しかし、斯かる実施形態は、本発明の単なる例示に過ぎず、何ら本発明を限定するものではない。本発明の要旨を逸脱することなく、特定用途に応じて種々の変形変更が可能であること、当業者には容易に理解できよう。
【００２８】
【発明の効果】
以上の説明から理解される如く、本発明のボタン電話機およびボタン電話装置によると、次の如き実用上の顕著な効果が得られる。第１に、ボタン電話機の制御データおよび音声データを、回線インタフェース部を介することなく、外部機器に制御データおよび音声データを取り込むことができ、ボタン電話機の機能を拡張可能である。
【００２９】
第２に、外部機器をボタン電話機の通信ＬＳＩ内の中継回路部およびスイッチ部を介して伝送部およびＤＭＵＸ／ＭＵＸ間に接続されるので、ボタン電話機のファームウェアが介在することなく、外部機器自身が制御データと音声データを自由に扱うことができる。
【００３０】
第３に、本発明のボタン電話装置は、ボタン電話機の通信ＬＳＩ内にスイッチ部および中継回路部を設けるのみで、外部機器を選択的に接続して機能拡張を可能にする。
【図面の簡単な説明】
【図１】本発明によるボタン電話機およびボタン電話装置の好適実施形態の構成を示すブロック図である。
【符号の説明】
１００、１０１　ボタン電話装置
２００　ボタン電話機
２０２、３０２　中央制御部
２０３　回線インタフェース部
２０４　送受話器
２０５　通信ＬＳＩ
２０６　伝送部
２０７、３０４　デマルチプレクサ／マルチプレクサ（ＤＭＵＸ／ＭＵＸ）
２０８　ＣＯＤＥＣ
２０９　アナログ処理部
２１０　スイッチ部
２１１　中継回路部
３００　外部機器
３０３　ゲートアレイ
【図１】
2004048137.tif 000003